(57)【要約】【課題】コンタクト整列板に突起または窪み部を設けて、弾性変位可能なアーム部の自由度を抑制してコンタクト保持板の抜け出るのを防止する抜け防止手段を設けるようにする。【解決手段】ベース基板と、このベース基板上に嵌合し取着されたコンタクト保持板と、このコンタクト保持板に植設されたコンタクトの端子部を整列して配置させるコンタクト整列板と、前記コンタクト保持板が前記ベース基板に嵌合した嵌合部分に係脱自在に係合するように配設された係止手段と、前記コンタクト整列板に設けられ該係止手段の係合が外れて前記コンタクト保持板が抜け出ることを防止する抜け防止手段と、を有している。【選択図】        図１
2004355983.tif 000002
【特許請求の範囲】
【請求項１】
ベース基板と、
このベース基板上に嵌合し取着されたコンタクト保持板と、
このコンタクト保持板に植設されたコンタクトの端子部を整列して配置させるコンタクト整列板と、
前記コンタクト保持板が前記ベース基板に嵌合した嵌合部分に係脱自在に係合するように配設された係止手段と、
前記コンタクト整列板に設けられ該係止手段の係合が外れて前記コンタクト保持板が抜け出ることを防止する抜け防止手段と、
を有することを特徴とするＩＣソケット。
【請求項２】
前記係止手段は、その先端にフック爪を有し、かつ前記抜け防止手段は、前記係止手段のアーム部の弾性変位を抑制するための突起または窪み部であることを特徴とする請求項１記載のＩＣソケット。
【発明の詳細な説明】
【０００１】
【発明の属する技術分野】
本発明は、ベース基板とコンタクト保持板とを有するＩＣソケット、特に、ベース基板に対するコンタクト保持板の固定手段を改良したＩＣソケットに関するものである。
【０００２】
【従来の技術】
従来、電気部品としての電子部品用のパッケージ、特に、ＩＣパッケージ等が装着されるＩＣソケットにおいては、テストボード上にベース基板を取付け、このベース基板にコンタクト保持板が取付けてなる。なお、このベース基板はコンタクトシートを介してのソケット枠である。
【０００３】
ところで、このＩＣソケットに、ＩＣパッケージが装着され、押え板等のプッシャーによって固持して、高周波テストソケット等がなる。この高周波テストソケットは、ＩＣパッケージの各種テストに用いる。（例えば、特許文献１参照。）。
【０００４】
【特許文献１】
特開平５−３２６０８３号公報（第２〜３頁、第１〜２図）
【０００５】
従来のＩＣソケットにおいては、ソケット本体をなすベース基板に、多数のコンタクトが植設されたコンタクト保持板を嵌め込んで、ベース基板のフック爪とコンタクト保持板の突起部とを係合して固定してなる。すなわち、従来のＩＣソケットにおいては、このような係止手段によってベース基板とコンタクト保持板との固定を行っている。
【０００６】
このような従来のＩＣソケットの一例が図８乃至図１１に示されている。図８と図９に全体の構成が、中央縦断面図として概略的に示され、図１０に、図９のＡ部が拡大して示されており、図１１に、図１０のラッチ用のアーム部が弾性変形した状態が示されている。
【０００７】
図８乃至図１１に示されるように、従来のＩＣソケット１００は、固定のソケット本体をなすベース基板１０１と、このベース基板１０１に嵌合されて取付けられるコンタクト保持板１０２と、コンタクト整列板１０３と、複数個のコンタクト１０４と、これらコンタクト１０４を開閉するようにコンタクト１０４の先端部を開閉作動する格子状の仕切板（図示しない）とから構成されている。ベース基板１０１は、ほぼ四角形をなし、中央に複数個のコンタクト１０４が植設されており、これらコンタクト１０４の先端部間にＩＣパッケージの半球状の半田ボール等の外部端子が挟持されるように構成されている。このようなＩＣパッケージは、四隅の角部がコーナー部材のような位置決め部と係合して仕切り板上の中央部分に位置決めされるように設けられている。
【０００８】
このような従来のＩＣソケット１００において、ベース基板１０１に対してコンタクト保持板１０２を嵌合して取付けるために、係止手段１０８が設けられている。この係止手段１０８は、ベース基板１０１に設けられたラッチ用のアーム部１０９の先端のフック爪１１０が、コンタクト保持板１０２の突起部１１１に係合されることによって取り付けられるようになっている。
【０００９】
すなわち、フック形の係止手段１０８は、ベース基板１０１から下方に突出するアーム部１０９の先端に形成されたフック爪１１０と、コンタクト保持板１０２の両側に設けられた突起部１１１とから成り、固定側のベース基板１０１のフック爪１１０が、弾性変形可能なアーム部１０９の先端に鉤形のフックとして設けられている。また、コンタクト保持板１０２の突起部１１１は、コンタクト保持板１０２の両側の側壁部に形成された鉤形の突起から形成されており、弾性変形可能なアーム部１０９の先端のフック爪１１０に、コンタクト保持板１０２の鉤形をした突起部１１１が係合されて係止されるように形成されている。
【００１０】
このようなＩＣソケット１００がプリントボードや取付ボード等のボード１１２に実装される時には、コンタクト整列板１０３から下方に突出するコンタクト１０４の端子部が、ボード１１２の端子孔に挿入されて半田付けによってしっかりと固定される。
【００１１】
【発明が解決しようとする課題】
しかしながら、このような従来のＩＣソケット１００においては、ソケット実装後に、ボード１１２とＩＣソケット１００との間に隙間Ｓが発生し、このために、コンタクト１０４の上下方向のバラツキが生じる。さらにまた、ベース基板１０１から突出するアーム部１０９に自由度があってアーム部１０９の背後側に空所１１４等が有る。このために、図１０に示されるように、使用時にベース基板１０１に衝撃や力が加わった場合に、アーム部１０９の弾性変形によってフック爪１１０がコンタクト保持板１０２の突起部１１１から外れてしまい、図１１に示されるように、コンタクト保持板１０２がベース基板１０１から外れてしまう等の問題が見られる。
【００１２】
従って、本発明の目的は、先に述べた従来における問題を解決するために、コンタクト整列板に突起または窪み部を設けて、弾性変位可能なアーム部の自由度を抑制してコンタクト保持板の抜け出るのを防止する抜け防止手段を設けるようにしたＩＣソケットを提供することにある。
【００１３】
【課題を解決するための手段】
上述の目的を達成するために、本発明のＩＣソケットは、ベース基板と、このベース基板上に嵌合し取着されたコンタクト保持板と、このコンタクト保持板に植設されたコンタクトの端子部を整列して配置させるコンタクト整列板と、前記コンタクト保持板が前記ベース基板に嵌合した嵌合部分に係脱自在に係合するように配設された係止手段と、前記コンタクト整列板に設けられ該係止手段の係合が外れて前記コンタクト保持板が抜け出ることを防止する抜け防止手段と、を有することを特徴とする。
【００１４】
また、本発明のＩＣソケットは、前記係止手段が、その先端にフック爪を有し、かつ前記抜け防止手段が、前記係止手段のアーム部の弾性変位を抑制するための突起または窪み部であることを特徴とする。
【００１５】
本発明のその他の目的や特徴および利点は、添付図面に示される本発明のＩＣソケットの実施形態についての以下の詳細な説明から明らかになろう。
【００１６】
【発明の実施の形態】
（実施例１）
本発明におけるＩＣソケットの実施例１が図１乃至図３に示されており、図４および図５に、抜け防止手段の変形例としての実施例２が示されており、図６および図７に抜け防止手段のさらに別の変形例としての実施例３が示されている。
【００１７】
図１は、本発明の実施例１におけるＩＣソケットの中央縦断面図で、図２は、図１の本発明におけるＩＣソケットの抜け防止手段の１つを示す断面部分図、図３は、図２の本発明のＩＣソケットの抜け防止手段の抜け防止状態を示す断面部分図である。
【００１８】
図１乃至図３に示されるように、本発明の実施例１におけるＩＣソケット１は、固定のソケット本体をなすベース基板２と、このベース基板２に嵌合されて取付けられるコンタクト保持板３と、コンタクト保持板３に植設されたコンタクト５の端子部を整列して配置させるコンタクト整列板４と、複数個のコンタクト５と、これらコンタクト５を開閉するようにコンタクト５の先端部を開閉作動する格子状の仕切板６とから構成されている。また、ベース基板２は、ほぼ四角形をなしており、中央に複数個のコンタクト５が配置されるように形成されていて、これらコンタクト５の先端部の間にＩＣパッケージの半球状の半田ボール等の外部端子が挟持されるように構成されている。
【００１９】
このようなＩＣパッケージは、四隅の角部がコーナー部材のような位置決め部材８と係合して仕切板６上の中央部分に位置決めされるべく配置されるようになっている。
【００２０】
また、本発明のＩＣソケット１において、ベース基板２に対して、複数個のコンタクト５が植設されたコンタクト保持板３を嵌合して取付けるために、コンタクト保持板３の両側に係止手段９がそれぞれ設けられている。これら係止手段９は、ベース基板２に設けられたラッチ用としてのアーム部１１の先端のフック爪１２が、コンタクト保持板３の突起部１４に係合されることによって取り付けられるようになっている。
【００２１】
すなわち、フック形の係止手段９は、ベース基板２の内側の両側から下方に突出するアーム部１１と、このアーム部１１の先端に内側に向って突出するように形成されたフック爪１２と、コンタクト保持板３の両側に設けられた突起部１４とから成る。また、固定側のベース基板２のフック爪１２が、弾性変形可能なアーム部１１の先端に鉤形のフック部材として設けられている。さらに、コンタクト保持板３の突起部１４は、コンタクト保持板３の両側の側壁部に形成された鉤形の突起部材から形成されている。この突起部１４は、弾性変形可能なアーム部１１の先端のフック爪１２に係合されて係止されるように形成されている。
【００２２】
このような本発明のＩＣソケット１がプリントボードや取付ボード等に実装される時には、コンタクト整列板４から下方に突出するコンタクト５の端子部５ｅが、ボードの端子孔に挿入されて半田付けされることによってしっかりと固定される。
【００２３】
このような本発明のＩＣソケット１において、コンタクト整列板４が抜け出るのを防止するために抜け防止手段１０が設けられている。これら抜け防止手段１０は、コンタクト整列板４の両側に、上方に向って突出する突起１６を有しており、この突起１６が、係止手段９のアーム部１１の外側の空所１５内に挿入されるように形成されている。
【００２４】
従って、本発明のＩＣソケット１の組立に際しては、複数個のコンタクト５が植設されたコンタクト保持板３が、ソケット本体であるベース基板２に対して下方からコンタクト５の先端部を上にして挿入される。また、コンタクト保持板３の両側の突起部１４が、コンタクト基板２のアーム部１１のフック爪１２に係合されることによって取り付けられる。このようにして、ベース基板２に対してコンタクト保持板３が嵌め込まれて取り付けられた場合、コンタクト保持板３から下方に突出するコンタクト５の端子部５ｅをコンタクト整列板４の孔１７に差し込んで取り付ける。さらに、コンタクト整列板４の両側の突起１６を、図２に示されるように、係止手段９のアーム部１１の外側の空所１５内に矢印の方向に挿入してコンタクト整列板４をベース基板２に対してしっかりと固着する。この場合に、コンタクト５の端子部５ｅは、コンタクト整列板４の孔１７内にしっかりと嵌め込まれて取り付けられる。さらにまた、コンタクト整列板４に対して半田付けすることによって、コンタクト５の端子部５ｅをコンタクト整列板４に強固に固着することができる。
【００２５】
このようにして、ベース基板２に対して、多数のコンタクト５は植設されたコンタクト保持板３を取付けた後に、コンタクト整列板４の突起１６を係止手段９の外側の空所１５内に挿入して取り付ける。したがって、ＩＣソケット１に衝撃等によって外力が作用しても、係止手段９のアーム部１１の弾性変形は、図３に示されるように突起１６によって好適に抑制される。このために、係止手段９のフック爪１２がコンタクト保持板３の突起部１４から外れることが無く、アーム部１１の弾性変形を良好に抑制することができる。
【００２６】
なお、突起１６は、本実施例においては、コンタクト整列板４と一体的に形成されているが、近似した形状の別部材でも一向に構わない。この場合、別体としての突起のような部材をコンタクト整列板にねじ込みや接着、蝋付け、溶接等によって取り付けることができる。また、突起１６の先端部の角部を取ったり、アールを付けると、突起１６の挿入が円滑に行われて好適である。
【００２７】
このように、本実施例のＩＣソケット１においては、ベース基板２にコンタクト保持板３を嵌合して取付け、嵌合部分に相互に係脱自在に係合するように設けられた係止手段９の係合が外れて、ベース基板２からコンタクト保持板３が抜け出て脱落するのを防止する抜け防止手段１０が設けられている。このために、本実施例では、係止手段９のアーム部１１の弾性変位を、コンタクト整列板４に設けられた突起１６によって良好に抑制して係止手段９が外れることが防止できると共に、このコンタクト整列板４の突起１６によってコンタクト保持板３がベース基板２から抜け出て脱落するのを好適に防止することができる。
【００２８】
従って、上述のように構成された本発明のＩＣソケットは、従来のＩＣソケットにおいて、ソケット実装後に、ボードとＩＣソケットとの間に隙間が生じて、コンタクトの上下方向にバラツキが発生するという問題を解決することができるようになる。
【００２９】
（実施例２）
図４および図５には、本発明の実施例２におけるＩＣソケットの係止手段と抜け防止手段とが概略的に示されている。図中、先の実施例１における部材と同一の部材には、同一の符号が付けられ使用されている。
【００３０】
図示されるように、本発明の実施例２のＩＣソケットにおいては、抜け防止手段２０は、係止手段９のアーム部１１の先端のフック爪１２部分が係合される窪み部２１が、コンタクト整列板４に設けられていることが、上記の実施例１のものと異なっている。
【００３１】
本実施例において、係止手段９は、上記の実施例１の係止手段９と同様に構成されており、ベース基板２の内側の両側から下方に突出するアーム部１１と、このアーム部１１の先端に内側に向って突出するように形成されたフック爪１２と、コンタクト保持板３の両側に設けられた突起部１４とから成る。また、固定側のベース基板２のフック爪１２が、弾性変形可能なアーム部１１の先端に鉤形のフック部材として設けられている。また、コンタクト保持板３の突起部１４は、コンタクト保持板３の両側の側壁部に形成された鉤形の突起部材から形成される。また、突起部１４は、弾性変形可能なアーム部１１の先端のフック爪１２に、係合されて係止されるように形成されている。
【００３２】
このような本発明のＩＣソケットがプリントボードや取付ボード等に実装される時には、コンタクトは、実施例１におけると同様に、コンタクト整列板４から下方に突出するコンタクトの端子部が、ボードの端子孔に挿入されて半田付けされることによってしっかりと固定される。
【００３３】
このような本発明のＩＣソケット１において、コンタクト保持板３が抜け出るのを防止するために抜け防止手段２０が設けられている。この抜け防止手段２０は、係止手段９のアーム部９の先端のフック爪１２に対応してコンタクト整列板４の両側の位置に設けられた窪み部２１から形成されている。窪み部２１は、係止手段９のアーム部１１の先端のフック爪１２が、組立時に窪み部２１内に位置されて、アーム部１１の先端のフック爪１２の外側の部分が、窪み部２１の壁部２２に当接されるように形成されている。
【００３４】
従って、このような本発明のＩＣソケットにおいては、組立時に矢印の方向にベース基板２に対してコンタクト整列板４が嵌め込まれる。ベース基板２に設けられたアーム部１１の先端のフック爪１２部分は窪み部２１内に突入されて、アーム部１１の先端部分が窪み部２１の壁部２２に当接されるように組立てられる。このようにして組立てられた本発明のＩＣソケットにおいて、何等かの原因によってＩＣソケットに衝撃や外力等が作用されても、係止手段９のアーム部１１の先端部分が、抜け防止手段２０の窪み部２１の壁部２２に当たってアーム部１１の弾性変位が抑制される。このため、コンタクト保持板３の突起部１４から、アーム部１１のフック爪１２の先端部分が外れることが無い。これによって、フック爪１２の係合が外れないように形成されており、コンタクト保持板３がベース基板２から抜け出て脱落するのを防止するように構成されている。
【００３５】
（実施例３）
図６および図７には、本発明の実施例３におけるＩＣソケットの係止手段と抜け防止手段とが概略的に示されている。図中、先の実施例１および実施例２における部材と同一の部材には、同一の符号が付けられ使用されている。
【００３６】
図示されるように、本発明の実施例３のＩＣソケットにおいては、抜け防止手段３０は、係止手段９のアーム部１１の外側の空所１５内に突入されるコンタクト整列板３から直立するように形成された突起３１から構成されている。この突起３１の先端部の内側にテーパー面３２が設けられていることが実施例１のものと異なっている。
【００３７】
本実施例において、係止手段９は、ベース基板２の内側の両側から下方に突出するアーム部１１と、このアーム部１１の先端に内側に向って突出するように形成されたフック爪１２と、コンタクト保持板３の両側に設けられた突起部１４とから成る。また、固定側のベース基板２のフック爪１２が、弾性変形可能なアーム部１１の先端に鉤形のフック部材として設けられている。また、コンタクト保持板３の突起部１４は、コンタクト保持板３の両側の側壁部に形成された鉤形の突起部材から形成される。この突起部１４は、弾性変形可能なアーム部１１の先端のフック爪１２に、係合されて係止されるように形成されている。
【００３８】
このような本発明の実施例３におけるＩＣソケットがプリントボードや取付ボード等に実装される時には、コンタクト整列板４から下方に突出するコンタクトの端子部が、実施例１におけると同様にしてボードの端子孔に挿入されて半田付けされることによってしっかりと固定される。
【００３９】
さらにまた、このような本発明のＩＣソケットにおいて、コンタクト保持板３が抜け出るのを防止するために抜け防止手段３０が設けられている。図示されるように、この抜け防止手段３０は、コンタクト整列板４の両側に、上方に向って突出する突起３１を有している。この突起３１が、係止手段９のアーム部１１の外側の空所１５内に挿入されるように形成されている。さらに、このような突起３１の先端部の内側にはテーパー面３２が設けられている。
【００４０】
このような本発明のＩＣソケットにおいては、組立時に矢印の方向にベース基板２に対してコンタクト整列板４が嵌め込まれて、アーム部１１の外側の空所１５内に、コンタクト整列板４の突起３１が挿入される。この時に、突起３１は、テーパー面３２がアーム部１１の先端部分の外側面に沿って滑動されて良好に案内されて、アーム部１１の外側の空所１５内に好適に挿入される。このため、ベース基板２に対してコンタクト整列板４を簡単に、かつ良好に取り付けて組立てることができ、しかも空所１５内にしっかりと突起３１が挿入される。従って、ＩＣソケットに衝撃や外力等が作用されても、アーム部１１が突起３１に当たってアーム部１１の弾性変位が抑制されるので、コンタクト保持板３の突起部１４からベース基板２のフック爪１２の先端部分が外れることが無く、フック爪１２の係合が外れないように構成されている。
【００４１】
特に、この実施例３においては、突起３１にテーパー面３２を設けることによって、組立て時の係止手段９のアーム部１１の導入を良好に案内して正規の位置への誘い込みを確実にし、これによって組立てを簡単にして、組立て時間を良好に短縮することができるようになる。
【００４２】
上述したように、本発明のＩＣソケットにおいては、コンタクト整列板に突起または窪み部を設けたり、あるいは突起の先端部にテーパー面を設けたりして、弾性変位可能なアーム部の自由度を抑制してコンタクト保持板の抜け出るのを防止する抜け防止手段を設けるようにしている。これによって係止手段のアーム部の弾性変位を、コンタクト整列板に設けられた突起または窪み部によって良好に抑制して係止手段が外れることが防止できる。また、このコンタクト整列板によってコンタクト保持板が抜け出るのを好適に防止することができる。
【００４３】
さらにまた、このような本発明のＩＣソケットにおいては、係止手段のアーム部の先端のフック爪部分が係合される窪み部を、コンタクト整列板に設けることによって、組立時に、アーム部の先端のフック爪部分が窪み部内に突入されてアーム部の先端部分が窪み部の壁部に当接されるようになる。そのため、ＩＣソケットに衝撃や外力等が作用されても、アーム部の先端部分が窪み部の壁部に当たって係止手段のアーム部の弾性変位が抑制されて、コンタクト保持板の突起部からフック爪の先端部分が外れることが無く、フック爪の係合が外れることがない。
【００４４】
また、コンタクト整列板に形成された突起の先端部分にテーパー面が設けられることによって、係止手段のアーム部の案内を確実に、かつ容易にして組立てがスムーズにでき、組立時間を短縮することができる。
【００４５】
【発明の効果】
以上の説明から明らかなように、本発明のＩＣソケットによれば、ベース基板に嵌合し取付けられたコンタクト保持板が抜け出ることを防止する抜け防止手段を設けることにより、ＩＣソケットに衝撃や外力等が作用してもコンタクト保持板が抜け出すことが無い。
【図面の簡単な説明】
【図１】本発明の実施例１におけるＩＣソケットの中央縦断面図である。
【図２】図１の本発明のＩＣソケットにおける抜け防止手段の１つを示す断面部分図である。
【図３】図２の本発明のＩＣソケットの抜け防止手段の抜け防止状態を示す断面部分図である。
【図４】本発明の実施例２におけるＩＣソケットの抜け防止手段の１つを示す断面部分図である。
【図５】図４の本発明のＩＣソケットの抜け防止手段の抜け防止状態を示す断面部分図である。
【図６】本発明の実施例３におけるＩＣソケットの抜け防止手段の１つを示す断面部分図である。
【図７】図６の本発明のＩＣソケットの抜け防止手段の抜け防止状態を示す断面部分図である。
【図８】従来におけるＩＣソケットの全体の構成を概略的に示す中央縦断面図である。
【図９】図８の従来のＩＣソケットをボードに実装した時の中央縦断面図である。
【図１０】図９のＡ部の拡大部分図である。
【図１１】図１０の弾性変形した状態を示す拡大部分図である。
【符号の説明】
１、１００      ＩＣソケット
２、１０１      ベース基板
３、１０２      コンタクト保持板
４、１０３      コンタクト整列板
５、１０４      コンタクト
６              仕切板
７              装着部材
８              位置決め部材
９、１０８      係止手段
１０            抜け防止手段
１１、１０９    アーム部
１２、１１０    フック爪
１４、１１１    突起部
１５            空所
１６、３１      突起
１７            孔
２０、３０      抜け防止手段
２１            窪み部
２２            壁部
３２            テーパー面
１１２          ボード
１１４          空所
【図１】
2004355983.tif 000003
【図２】
2004355983.tif 000004
【図３】
2004355983.tif 000005
【図４】
2004355983.tif 000006
【図５】
2004355983.tif 000007
【図６】
2004355983.tif 000008
【図７】
2004355983.tif 000009
【図８】
2004355983.tif 000010
【図９】
2004355983.tif 000011
【図１０】
2004355983.tif 000012
【図１１】
2004355983.tif 000013